(57)【要約】      （修正有）【課題】簡易な構成で樽の漏れ検出精度を向上させることが可能な樽の漏れ検査機用取付治具を提供する。【解決手段】樽１００の側面１００ｂに周方向に沿って設けられた溶接部１００ａからの漏れを検査するリークディテクタ３用の取付治具４であって、樽１００の上部スカート１００ｃに取り付けて、上部スカート１００ｃに沿って樽１００の側面１００ｂ上を移動する治具本体５と、該治具本体５の溶接部１００ａに対向する位置に設置され、リークディテクタ３の検出部３ａを保持する保持部材とを備えた。【選択図】図１
0003165922.tif 000002
【実用新案登録請求の範囲】
【請求項１】
樽の側面に周方向に沿って設けられた溶接部からの漏れを検査する漏れ検査機用の取付治具であって、
前記樽の上部スカートに取り付けて、前記上部スカートに沿って前記樽の側面上を相対的に移動する治具本体と、
前記治具本体の前記溶接部に対向する位置に設置され、前記漏れ検査機の検出部を保持する保持部と、
を備えた樽の漏れ検査機用の取付治具。
【請求項２】
前記治具本体には、前記上部スカートのカール部に沿って案内されるローラが設けられている請求項１に記載の取付治具。
【請求項３】
前記保持部には、前記検出部を挿入可能な挿入孔が設けられている請求項１又は２に記載の取付治具。
【請求項４】
請求項１〜３のいずれか一項に記載の取付治具と、
樽の側面に周方向に沿って設けられた溶接部からの漏れを検出する検出部を備えた漏れ検査機と、
前記樽の軸線の周りに前記樽を回転させる回転台と、
を備えた樽の漏れ検査装置。
【考案の詳細な説明】
【技術分野】
【０００１】
本発明は、樽の溶接部からの内容物の漏れを検査する検査機を樽に取り付けるための樽の漏れ検査機用取付治具及びこれを用いた樽の漏れ検査装置に関する。
【背景技術】
【０００２】
飲料等を保持する容器に対し、その内容物の漏れを検査する装置が周知であり、例えば、飲料缶に対し中心軸を中心として回転させ、その遠心力により流出した内容物を検知する装置が知られている（特許文献１参照）。また、漏れを検査する簡易な方法としては、容器に圧縮空気を入れて水没させ、気泡を目視する方法も知られている。
【先行技術文献】
【特許文献】
【０００３】
【特許文献１】特開２００５−０１７２２３号公報
【考案の概要】
【考案が解決しようとする課題】
【０００４】
ビール等の運搬に用いられる樽はステンレス等の金属製であり、その側面には樽の周方向に沿って製造時に設けられた溶接部を有するものがある。このような樽は、工場と販売店の間を何度も往復して再利用されることを前提に使用され、また、軽量化の観点から薄板で形成されている事情もあり、運搬時の衝撃等により溶接部にピンホールが生じて内容物が漏れ出すことがある。このため、工場での回収時に溶接部に対し適宜漏れを検査する必要がある。しかし、上述した水没させて検査する方法では樽の外周面に付着した気泡か、あるいは溶接部からの流出かが判別できずに漏れを見逃す可能性がある。また、作業者が漏れ検査機を用いて手作業で溶接部からの漏れを検査する場合、漏れ検査機の漏れ検出部を溶接部に沿って移動させる必要があるため時間がかかり、検出部が溶接部からずれて検査精度が低下するおそれもある。
【０００５】
そこで、本考案は、簡易な構成で樽の漏れ検出精度を向上させることが可能な樽の漏れ検査機用取付治具及びこれを用いた樽の漏れ検査装置を提供することを目的とする。
【課題を解決するための手段】
【０００６】
本考案の樽の漏れ検査機用取付治具は、樽（１００）の側面（１００ｂ）に周方向に沿って設けられた溶接部（１００ａ）からの漏れを検査する漏れ検査機（３）用の取付治具（４）であって、前記樽の上部スカート（１００ｃ）に取り付けて、前記上部スカートに沿って前記樽の側面（１００ｂ）上を相対的に移動する治具本体（５）と、前記治具本体の前記溶接部に対向する位置に設置され、前記漏れ検査機の検出部（３ａ）を保持する保持部（６）と、を備えたことにより上記課題を解決する。
【０００７】
本考案の樽の漏れ検査機用取付治具によれば、治具本体が検査対象の樽の上部スカートに取り付けられ、樽の側面上を移動する。治具本体には漏れ検査機の検出部が保持されているので、治具本体の移動により溶接部に沿って検出部を移動させることができる。従って、検出部が溶接部に沿って安定して移動でき、簡易な構成で樽の漏れを高精度に検出することができる。
【０００８】
本考案の取付治具の一形態において、前記治具本体には、前記上部スカートのカール部（１００ｄ）に沿って案内されるローラ（７）が設けられていてもよい。この形態によれば、ローラが樽のカール部に沿って案内されるため、取付治具が樽の側面上を安定して移動できる。
【０００９】
本考案の取付治具の一形態において、前記保持部には、前記検出部を挿入可能な挿入孔（６ａ）が設けられていてもよい。この形態によれば、挿入孔に検出部を挿入するだけで、検出部が固定され、位置決めされるので作業者の負担なく取付治具に検出部を取り付けることができる。
【００１０】
本考案の樽の漏れ検査装置は、上述した樽（１００）の漏れ検査機（３）用取付治具（４）と、樽の側面（１００ｂ）に周方向に沿って設けられた溶接部（１００ａ）からの漏れを検出する検出部（３ａ）を備えた漏れ検査機と、前記樽の軸線（ＡＸ）の周りに前記樽を回転させる回転台（２）と、を備えたことにより上記課題を解決する。
【００１１】
本考案の樽の漏れ検査装置によれば、回転台に載置された樽に対して取付治具を介して漏れ検査機の検出部を取り付け、樽を回転させることで検出部が溶接部に沿って移動でき、安定した漏れの検出ができる。従って、簡易な構成で樽の高精度な漏れの検出ができる。
【００１２】
なお、以上の説明では本考案の理解を容易にするために添付図面の参照符号を括弧書きにて付記したが、それにより本考案が図示の形態に限定されるものではない。
【考案の効果】
【００１３】
以上、説明したように、本考案の樽の漏れ検査機用取付治具によれば、治具本体が検査対象の樽の上部スカートに取り付けられ、樽の側面上を移動する。治具本体には漏れ検査機の検出部が保持されているので、治具本体の移動により溶接部に沿って検出部を移動させることができる。また、本考案の取付治具を用いた樽の検査装置においては、回転台に載置された樽に対して取付治具を介して漏れ検査機の検出部を取り付け、樽を回転させることで検出部が溶接部に沿って移動でき、安定した漏れの検出ができる。従って、検出部が溶接部に沿って安定して移動でき、簡易な構成で樽の漏れを高精度に検出することができる。
【図面の簡単な説明】
【００１４】
【図１】本考案の一形態に係る樽の漏れ検査装置の斜視図。
【図２】取付治具の正面図。
【図３】取付治具の側面図。
【図４】取付治具の下面図。
【考案を実施するための形態】
【００１５】
図１は、本考案の一形態に係る樽の漏れ検査装置の斜視図である。漏れ検査装置１は樽１００の溶接部１００ａからのビール等の内容物の漏れを防止するために予め漏れを検査する装置である。樽１００はステンレス等の金属製で、その側面１００ｂには製造時に生じる溶接部１００ａが存在する。溶接部１００ａにピンホールが生じていると内容物が漏れることがあるため、漏れ検査装置１で漏れの有無を検査する。漏れ検査装置１による検査においては、樽１００に二酸化炭素を封入した上で、溶接部１００ａからの二酸化炭素の漏れの有無を確認する。漏れ検査装置１は、樽１００の軸線ＡＸの周りに樽１００を回転させる回転台としてのターンテーブル２と、溶接部１００ａからの漏れの有無を検査する漏れ検査機としてのリークディテクタ３と、リークディテクタ３の検出部としてのセンサ３ａを溶接部１００ａに対して保持する取付治具４とを備えている。ターンテーブル２は、載置面２ａに載置した樽Ｂをその軸線ＡＸの周りに回転させるもので、各種周知技術を適用してよい。リークディテクタ３には、ピンホールから漏れる二酸化炭素を検知するものが利用される。なお、リークディテクタ３として各種の周知技術を利用してよい。
【００１６】
取付治具４は、ターンテーブル２上の樽１００の上部スカート１００ｃのカール部１００ｄに取り付けられる。図２に取付治具４の正面図、図３にその側面図、図４にその下面図をそれぞれ示す。取付治具４は、治具本体５と、センサ３ａを保持する保持部としての保持部材６とを備えている。治具本体５は板状の部材で、軸線ＡＸ方向と平行な平行面５ａと、平行面５ａの上端から延び、平行面５ａに対し傾斜した傾斜面５ｂと、平行面５ａの下端から垂直方向に延びる底面５ｃとを有する。平行面５ａには、センサ３ａを出没させる取付孔５ｄが設けられ、平行面５ａの樽１００の側面１００ｂに対向する側には、取付孔５ｄに差し込まれたセンサ３ａを保持する保持部材６が設けられている。保持部材６にはセンサ３ａが挿入される挿入孔６ａが設けられ、挿入するとセンサ３ａの先端部が溶接部１００ａに接触するように保持、固定される。保持部材６の素材としてＭＣナイロン（登録商標）等が用いられ、検査時にセンサ３ａを安定して保持している。本形態の保持部材６では、図３に示すように２個の部材がナットを挟んで重ねられた状態で設置されているが、これに限られず、適宜の形状で設置してよい。取付孔５ｄはセンサ３ａが検査する位置を調整可能となるように軸線ＡＸ方向に長い楕円形状であり、保持部材６の平行面５ａの取付孔５ｅも同様の形状を有している。これにより、保持部材６の取付位置を樽の種類により調整でき、溶接部１００ａからの漏れの有無を確実に検査できる。
【００１７】
傾斜面５ｂの上端には、カール部１００ｄに治具本体５を取り付けるためのローラとしての上部ローラ７が設けられている。カール部１００ｄの曲面に合うように、接触面７ａが窪んだ形状のローラが採用されている。取付治具４を樽１００の側面１００ｂに取り付ける際には、上部ローラ７がカール部１００ｄ上で回転するように取り付けられる。また、底面５ｃには、下部ローラ８が設けられている。下部ローラ８は、側面１００ｂと接触して樽１００の回転時の取付治具４の相対的な移動を補助しつつ、保持部材６を適正な位置に保持する。底面５ｃの形状は樽１００の側面１００ｂの曲面に合わせて下部ローラ８以外の部材が干渉しないように曲面５ｆを有する。治具本体５の形状は、樽１００の形状に応じて適宜変更してよい。下部ローラ８についても保持部材６の位置を安定して保持可能であれば、取付位置を適宜変更してもよいし、省略してもよい。
【００１８】
次に、漏れ検査装置１の動作について説明する。ターンテーブル２に検査対象となる樽１００を載置し、上部ローラ７をカール部１００ｄにひっかけるようにして側面１００ｂに取付治具４を取り付ける。樽１００には、所定量の二酸化炭素が封入されている。取付孔５ｄに挿入されたセンサ３ａは、保持部材６に保持されて固定される。ターンテーブル２を回転させると樽１００が軸線ＡＸの周りに回転する一方で、取付治具４は樽１００の回転に伴って回転せずに樽１００の周りを相対的に回転することになる。取付治具４は、上部ローラ７及び下部ローラ８により樽１００の周りをスムーズに移動できる。溶接部１００ａにピンホールが生じている場合、そのピンホールから二酸化炭素が漏れ出しているので、この漏れをセンサ３ａにて検知することで、漏れ検査装置１にて漏れの有無を検査することができる。取付治具４により、溶接部１００ａに沿って安定してセンサ３ａを移動させることができ、高精度な漏れの有無の検査をすることができる。
【００１９】
本考案は、上述した形態に限定されることなく、種々の形態にて実施することができる。例えば、本形態では、樽１００が回転するとして説明したが、取付治具４を回転させるようにしてもよい。樽１００と取付治具４とが相対的に移動すれば、溶接部１００ｂに沿った検査ができる。樽１００の上部スカート１００ｃに上部ローラ７を取り付けて取付治具４を側面１００ｂに沿って移動させるものとして説明したがこれに限られない。例えば、スポンジや樹脂等のガイド部材を斜面部５ｂに設けてもよい。カール部１００ｄをスムーズに移動できるように構成すればよく、適宜の変更が可能である。また、本形態において、リークディテクタ３は二酸化炭素を検出するものとして説明したが、これに限られない。例えば、ヘリウム、水素等他のガスを利用するものや、超音波を利用した検査機を適用することもできる。
【符号の説明】
【００２０】
１  漏れ検査装置
２  ターンテーブル（回転台）
３  リークディテクタ（漏れ検査機）
３ａ  センサ（検出部）
４  取付治具
５  治具本体
６  保持部材（保持部）
７  上部ローラ（ローラ）
８  下部ローラ
１００  樽
１００ａ  溶接部
１００ｂ  側面
１００ｃ  上部スカート
１００ｄ  カール部
【図１】
0003165922.tif 000003
【図２】
0003165922.tif 000004
【図３】
0003165922.tif 000005
【図４】
0003165922.tif 000006